(57)【要約】【課題】端子カバーにおいて、構造を簡易化した上で、低背化することを目的とする。【解決手段】ボルト９１に固定される端子８０に装着される端子カバー１０であって、前記端子８０を収容しつつ前記端子８０の側面を囲う側壁３３と上面開口１２Ａとを有する本体部１２と、前記本体部１２の上面開口１２Ａを覆いかつ前記本体部１２とは別部材の蓋部５０とを備え、前記蓋部５０は前記本体部１２に上方から装着され、前記側壁３３の外面には、その長手方向に延びるレール部４３が設けられており、前記蓋部５０に設けられた係止部６１を前記レール部４３に係止させることで上方への脱離を防止しつつ、前記係止部６１が前記レール部４３に対して摺動することで前記蓋部５０を前記本体部１２に対してスライド可能とした。【選択図】図４
2016213086.tif 000002
【特許請求の範囲】
【請求項１】
ボルトに固定される端子に装着される端子カバーであって、
前記端子を収容しつつ前記端子の側面を囲う側壁と上面開口とを有する本体部と、
前記本体部の上面開口を覆いかつ前記本体部とは別部材の蓋部とを備え、
前記蓋部は前記本体部に上方から装着され、
前記側壁の外面には、その長手方向に延びるレール部が設けられており、
前記蓋部に設けられた係止部を前記レール部に係止させることで上方への脱離を防止しつつ、前記係止部が前記レール部に対して摺動することで前記蓋部を前記本体部に対してスライド可能とした端子カバー。
【請求項２】
前記側壁には、前記蓋部が前記端子の接続部分を露出させる位置において前記蓋部に設けた突部に係合する仮係止部が設けられると共に、
前記蓋部に設けられた前記突部と前記係止部とは、前記側壁の内面側と外面側において前記側壁を挟んで互いに対向する位置に配されている請求項１に記載の端子カバー。
【発明の詳細な説明】
【技術分野】
【０００１】
本明細書に開示される技術は、端子の接続部分を絶縁及び保護する端子カバーに関する。
【背景技術】
【０００２】
例えば車両に搭載される車載機器等に電線の端末に設けられた端子を接続する方式として、ボルト及びナットによって端子を締め付けるボルト締め方式がある。このようなボルト締め方式では、端子やナット等が露出するため、その接続部分を覆う端子カバーを装着する。
【０００３】
一般的に、このような端子カバーは車両の組立工程において車載機器に端子をボルト締めした後に装着されるのではなく、ワイヤーハーネスの製造元において予め端子をカシメ付けた電線に端子カバーを先通しした状態で製造され、これが車両の組み立てラインに納入される。そして、車載機器への端子の接続工程において、端子カバーの一部をずらして端子の接続部分を露出させ、端子をボルト及びナットで締め付ける。このような接続作業を行うために、端子の接続部分を露出可能なように、端子カバーには接続部分を露出するためのヒンジ構造やスライド構造が設けられている。
【０００４】
このような端子カバーの一例として、特開２００６−３２４０６５号公報（下記特許文献１）に開示されたものが挙げられる。この端子カバーは、端子の周囲を覆いつつ上面が開口した本体と本体の上面開口を覆う蓋体とから構成されている。この本体は、端子保護部と電線保護部とから成り立っており、端子保護部は平面視略Ｕ字状になるように側壁が設けられており、上面と下面が開口している。電線保護部は、端子保護部の側壁から連なる側壁と、底壁と、後壁とを有しており、端子保護部側が開口すると共に上面が開口する略箱状に形成されている。そして、電線保護部の一方の側壁には蓋体を連結するヒンジ部が形成され、他方の側壁には、蓋体に対する係止突起が形成されている。
【０００５】
また、蓋体は、電線保護部を覆う後カバーと、後カバーに対してスライド自在でかつ端子保護部を覆う前カバーとを有している。前カバーは、後カバーに対して別体となっており、電線保護部に設けられた摺動部に前カバーの側壁が摺動することで、後方にスライド可能なようになっている。作業時には前カバーが後方にスライドされて後カバーの下面に収納されて係止されており、前カバーに設けられた脚状バネ部が後壁に当接して弾性変形している。そして、作業が終了した状態で、前カバーの係止を解除すると、脚状バネ部の弾性力によって前カバーが若干前方に突出してスライドされることで、前カバーが端子保護部を覆うことができる。
【先行技術文献】
【特許文献】
【０００６】
【特許文献１】特開２００６−３２４０６５号公報
【発明の概要】
【発明が解決しようとする課題】
【０００７】
しかしながら、特開２００６−３２４０６５号公報（上記特許文献１）のような構造の端子カバーでは、ヒンジ構造とスライド構造を有しているため、構造が複雑で金型が複雑化するため、高コストとなる。また、前カバーを後カバーの下面に収納するために、端子カバーの高さ寸法が大きくなってしまう。
【課題を解決するための手段】
【０００８】
本明細書で開示される端子カバーは、ボルトに固定される端子に装着される端子カバーであって、前記端子を収容しつつ前記端子の側面を囲う側壁と上面開口とを有する本体部と、前記本体部の上面開口を覆いかつ前記本体部とは別部材の蓋部とを備え、前記蓋部は前記本体部に上方から装着され、前記側壁の外面には、その長手方向に延びるレール部が設けられており、前記蓋部に設けられた係止部を前記レール部に係止させることで上方への脱離を防止しつつ、前記係止部が前記レール部に対して摺動することで前記蓋部を前記本体部に対してスライド可能とした。
【０００９】
このような構成によると、蓋部と本体部とが別部品となっていることから、構造が簡単で、成形が容易になる。また、レール部は係止部の被係止部も兼ねていることから、さらに構造が簡単になる。また、蓋部全体がスライドするため、ボルト及び電線の高さ寸法以上の高さは不要となり、低背化が可能になる。
【００１０】
本明細書に開示される端子カバーの実施の態様として、以下の構成としても良い。
前記側壁には、前記蓋部が前記端子の接続部分を露出させる位置において前記蓋部に設けた突部に係合する仮係止部が設けられると共に、前記蓋部に設けられた前記突部と前記係止部とは、前記側壁の内面側と外面側において前記側壁を挟んで互いに対向する位置に配されている構成としても良い。
このような構成によると、端子の接続部分を露出させる位置に蓋部が位置している際に、突部と係止部が側壁を挟み込みつつ、突部が仮係止部に係止している。そのため、蓋部がスライドして本体部からその一部が突出していて周りと接触しやすい状態にあっても、蓋部が外れることが抑制される。
【発明の効果】
【００１１】
本明細書に開示された端子カバーによれば、構造を簡易化した上で、低背化することができる。
【図面の簡単な説明】
【００１２】
【図１】実施形態に係る蓋部が閉じた状態での端子カバー付端子の平面図
【図２】同正面図
【図３】同底面図
【図４】図１におけるＩＶ−ＩＶ位置での断面図
【図５】図１におけるＶ−Ｖ位置での断面図
【図６】蓋部が仮係止位置に係止された状態での端子カバー付端子の平面図
【図７】同正面図
【図８】同側面図
【図９】図６におけるＩＸ−ＩＸ位置での断面図
【図１０】図６におけるＸ−Ｘ位置での断面図
【図１１】図８におけるＸＩ−ＸＩ位置での断面図
【図１２】本体部に接続端子が収納された状態での平面図
【図１３】本体部に蓋部を装着する状態での正面図
【図１４】接続端子をボルトに接続する前の状態での平面図
【図１５】接続端子をボルトに接続する状態での断面図
【発明を実施するための形態】
【００１３】
＜実施形態＞
実施形態について図１から図１５を参照して説明する。
本実施形態の端子カバー１０は、図２及び図５に示すように、電線Ｗの端末と、この電線Ｗに圧着接続された接続端子８０（「端子」の一例）に跨るように取り付けられている。接続端子８０は、端子カバー１０を取り付けた状態で、例えば車両におけるスタータやオルタネータ等の機器から突出した機器側端子９０のボルト部９１（「ボルト」の一例、図１５参照）とナット９３とによって接続される。そして、端子カバー１０は、接続端子８０と機器側端子９０との接続部分を外部から保護及び絶縁する。なお、本実施形態では、上下方向については、図２における上下方向を基準とする。つまり、機器側端子９０のボルト部９１に接続端子８０を挿入する方向を下方とし、機器側端子９０から接続端子８０を離脱させる方向を上方とする。また、図２における左側を前方とし、右側（電線Ｗの延出方向）を後側とする。
【００１４】
端子カバー１０は、絶縁性を有する合成樹脂材料を用いて成形されている。端子カバー１０は、図２及び図５に示すように、本体部１２と、この本体部１２を覆う蓋部５０とを備えて構成されている。本体部１２は、図３及び図５に示すように、端子保護部２０と電線保護部３０とを有している。端子保護部２０は、平面視略円形状に形成されており、上面と下面が開口している。端子保護部２０は、一対の円弧状を描く円弧側壁２１と、円弧側壁２１の間であって端子保護部２０の前方に配された真っ直ぐな前壁２３とを有している。円弧側壁２１の間であって端子保護部２０の後方側（電線保護部３０側）は、開口している。これら一対の円弧側壁２１及び前壁２３は、接続端子８０及び機器側端子９０を覆うのに十分な高さを有するように形成されている。前壁２３の略中央位置には、図５及び図６に示すように、上方に突出する係止爪２５が設けられている。係止爪２５は、断面視略三角形状をなしており、後記する蓋部５０の前端縁部５３Ａを係止する。
【００１５】
また、図５及び図６に示すように、一対の円弧側壁２１と前壁２３の内周面には、その内側に向かって突出して、接続端子８０が上方に飛び出すのを抑制する端子保持部２７が設けられている。端子保持部２７は、略Ｃ字状をなしており、接続端子８０を収納した際に接続端子８０の上方になる位置に設けられている。また、端子保持部２７の内径は、後記するナット９３の外径よりも若干大きくなっており、ナット９３を螺合する際にナット９３に干渉しないようになっている。端子保持部２７は、電線保護部３０側が開口しており、電線保護部３０側の一端２７Ａは、電線保護部３０の内壁と連なる位置にその端面が配されている。一方で、端子保持部２７の他端２７Ｂは、電線保護部３０の内壁よりも内側に突出しており、接続端子８０の上方に配されて、接続端子８０が上方に移動するのを防止する。
【００１６】
電線保護部３０は、図５及び図１２に示すように、底板３１と、端子保護部２０の一対の円弧側壁２１にそれぞれ連続する一対の側壁３３と、一対の側壁３３の間であって後端に配される後壁３５とを有している。電線保護部３０は、端子保護部２０側が開口するとともに上面が開口する略箱状に形成されている。つまり、本体部１２は、端子保護部２０と電線保護部３０とが共に上面が開口する上面開口１２Ａを有している。また、後壁３５には、半円形の電線引き出し部３７が形成されている。後壁３５は、蓋部５０の形状に合わせて、側壁３３よりも底板３１からの高さが低くなっている。
【００１７】
側壁３３は、図２及び図１２に示すように、それぞれ電線Ｗの軸方向に平行に真っ直ぐ延びており、その両端の上端部の外面には、ストッパ部４１が設けられている。ストッパ部４１は、側壁３３と直交するように外側に向かって突出している。また、ストッパ部４１は、側壁３３の略半分程度の高さ寸法を有している。各側壁３３の両端に設けられたストッパ部４１の間には、レール部４３が設けられている。レール部４３は、図２及び図４に示すように、電線保護部３０の長手方向（電線Ｗの軸方向）に延びており、レール部４３の上端から下端までの高さ寸法は、ストッパ部４１の高さ寸法の略半分程度とされている。レール部４３は、上方から下方に向かって外側に拡がるテーパー面４３Ａが設けられており、レール部４３の下端面４３Ｂは、側壁３３の外面及びストッパ部４１と直交して底板３１と平行になる面となっている。
【００１８】
各側壁３３の後端部の内面には、図１１に示すように、仮係止部４５が設けられている。蓋部５０が仮係止位置に位置する際には、仮係止部４５と後壁３５の内面との間には、後記する蓋部５０の突部６７が配される。仮係止部４５は、前傾斜面４５Ａと平行面４５Ｂと後傾斜面４５Ｃとを有している。平行面４５Ｂは、側壁３３の内面と平行になっており、平行面４５Ｂの前後方向の寸法は、突部６７の前後方向の寸法より若干短くなっている。また、前傾斜面４５Ａは、後傾斜面４５Ｃよりもその前後方向の寸法が長くなっており、突部６７が前方から後方に移動する方が移動しやすくなるようになっている。なお、仮係止部４５の各面４５Ａ、４５Ｂ、４５Ｃと側壁３３の内面との間には、若干隙間があいており、仮係止部４５が弾性変形可能となっている。
【００１９】
蓋部５０は、図１及び図４に示すように、本体部１２の平面視形状とほぼ同じ形状をなす平板部５１と、レール部４３に係止可能な係止部６１と、突部６７とを有している。平板部５１は、本体部１２の上面開口１２Ａを覆っており、端子保護部２０と平面視略同一形状で略円形状の前端部５１Ａと、電線保護部３０と平面視略同一形状で略矩形状の後端部５１Ｂとを有している。
【００２０】
平板部５１の周縁では、図５及び図９に示すように、下側に向かって縁部５３が突設することで、蓋部５０が浅盆状に形成されている。縁部５３の内、本体部１２の前壁２３の上部に当たる前端縁部５３Ａは、係止爪２５が係止可能なようにその中央付近の後側が削られて若干肉薄になっている。また、縁部５３の内、本体部１２の後壁３５の上部に当たる後端縁部５３Ｂは、他の縁部５３よりも下側に突出して、蓋部５０を閉じたときに電線Ｗに至る寸法とされており、その中央に略半円形の電線引き出し部が形成されている。
【００２１】
平板部５１の前端部５１Ａの略中央付近には、図１に示すように、開閉用手持部５５が設けられている。開閉用手持部５５は、後記する蓋部５０のスライド方向に直交するように、平板部５１の上面から上側に向かって突設している。また、平板部５１の後端部５１Ｂには、電線押さえ部５７が設けられている。電線押さえ部５７は、電線Ｗの軸線方向に２条平行に延びており、平板部５１から下側に向かって突設している。電線押さえ部５７が設けられることで、図９に示すように、底板３１の内面から電線押さえ部５７の内面までの寸法は、後述する接続端子８０の電線加締め部８１の高さ寸法と略同一となっている。
【００２２】
平板部５１の後端部５１Ｂの前側には、図２及び図４に示すように、係止部６１が設けられている。係止部６１は、平板部５１の後端部５１Ｂから側方に突出した後、下方に向かって延びている。また、係止部６１の下端の内側には、ロック部６３が設けられている。係止部６１は、ロック部６３と本体部１２の側壁３３との間の距離が可変可能な方向に弾性変形可能となっている。ロック部６３は、下方から上方に向かって傾斜面６３Ａが設けられており、ロック部６３の上端面６３Ｂは、係止部６１の内面と直交して、平板部５１と平行でかつレール部４３の下端面４３Ｂと摺動可能となっている。
【００２３】
また、係止部６１は、縁部５３が設けられている位置までの上端部６１Ａが、下端部６１Ｂに比べて幅広になっている。より具体的には、上端部６１Ａは、下端部６１Ｂの両側にストッパ部４１の幅分とほぼ同じだけ幅広になっている。平板部５１の縁部と係止部６１の上端部６１Ａとの間には、ロック部６３を成形する際の抜き孔６５が設けられている。
【００２４】
突部６７は、図４及び図１１に示すように、係止部６１と対向する位置で下側に向かって片持ち状に突設している。より具体的には、係止部６１の下端部６１Ｂの後端位置と突部６７の後端位置が揃うようになっている。そして、突部６７は、係止部６１よりも側壁３３分内側に設けられており、側壁３３の内面に摺動可能となっている。また、突部６７の前後方向の寸法は、仮係止部４５の後端と後壁３５の内面との間の寸法とほぼ同一となっている。また、突部６７の下端位置は、係止部６１の上端面の位置とほぼ同一となっている。
【００２５】
接続端子８０は、導電性を有する金属板を塑性加工することにより形成されている。接続端子８０は、図１２及び図１３に示すように、電線Ｗの端末を圧着接続する電線加締め部８１と、この電線加締め部８１に連続する端子本体部８３とを有している。端子本体部８３は、板状に形成されている。端子本体部８３の中央には、ボルト挿通用の貫通孔８５が形成されている。端子本体部８３の外周縁部には、一対の片状の端子回り止め片８７が形成されている。
【００２６】
機器側端子９０は、図１５に示すように、導電性を有しており、機器に設けられた台座部９５と、この台座部９５から上方に突設するボルト部９１とを備えている。また、このボルト部９１は、ナット９３を螺合可能としており、インパクトレンチなどの治具によってナット９３がボルト部９１に螺合される。
【００２７】
次に、上記本実施形態の構成に基づいて、端子カバー１０の組み立て方法について説明する。
先ず、電線Ｗの端末に接続した接続端子８０を本体部１２の上面開口１２Ａ側にセットし、図１２に示すように、この接続端子８０を本体部１２に差し込む。接続端子８０を本体部１２に差し込む際には、端子保持部２７の他端２７Ｂに接続端子８０が当たらないように、接続端子８０を端子保持部２７の一端２７Ａ側が上方になるように斜めに傾けて、他端２７Ｂの下側に接続端子８０を挿入した後、接続端子８０を底板３１に平行にして、本体部１２内に収容する。
【００２８】
接続端子８０が本体部１２に収容された状態では、電線Ｗの端末及び電線加締め部８１が電線保護部３０に収納され、端子本体部８３が端子保護部２０に収納されつつ、端子本体部８３の下面側は、端子保護部２０の下面開口により外部に露出して、機器側端子９０の台座部９５と接触可能とされる（図３参照）。また、一対の端子回り止め片８７は、端子保護部２０の下面開口から突出する（図１３参照）。また、接続端子８０は、電線保護部３０の底板３１と端子保持部２７の他端２７Ｂによって、上下方向に位置決めされ、電線Ｗが電線引き出し部３７に嵌り込みつつ接続端子８０が前壁２３と後壁３５と側壁に囲まれることで、本体部１２内に収容される（図１２参照）。
【００２９】
次に、図１３に示すように、蓋部５０を本体部１２に装着する。蓋部５０を本体部１２の上面開口１２Ａを覆うように上方から被せて、下側に向かって押し込む。この際に、図４に示すように、ロック部６３の傾斜面６３Ａがレール部４３のテーパー面４３Ａと摺動しつつ下側に押し込まれることで、係止部６１が外側（本体部１２から離間する方向）に弾性変形する。そして、ロック部６３の上端面６３Ｂがレール部４３を通過すると、係止部６１が復元変形して、レール部４３とロック部６３が係合する。このように、蓋部５０が本体部１２に装着されると、係止爪２５が蓋部５０の前端縁部５３Ａに引っかかり、係止部６１が前側のストッパ部４１と当接することで、本体部１２と蓋部５０は閉止状態となる。以上により、端子カバー１０が接続端子８０に取り付けられる。この状態で、端子カバー１０が取り付けられた接続端子８０及び電線Ｗは、車両の組立工程へ搬入される。
【００３０】
組立工程では、図１４に示すように、蓋部５０を後方（電線Ｗの方向）にスライドして、接続端子８０の端子本体部８３を露出する。蓋部５０がスライドする際に、図１１等に示すように、突部６７は、仮係止部４５を乗り越えて、仮係止位置（仮係止部４５と後壁３５との間）に突部６７が係止される。一方で、係止部６１は、蓋部５０のスライドに伴って、ロック部６３の上端面６３Ｂがレール部４３の下端面４３Ｂと摺動して、後側のストッパ部４１に当接する位置で蓋部５０のスライドを停止する（図９参照）。なお、係止部６１の下端部６１Ｂがストッパ部４１に当接して停止するタイミングが、突部６７が仮係止位置で係止される位置と同じタイミングと同じになるようにされている。また、蓋部５０がスライド移動する際には、側壁３３の内面と外面を突部６７と係止部６１とで挟み込みつつスライドする。
【００３１】
続いて、図１１及び図１５に示すように、接続端子８０の貫通孔８５を機器側端子９０のボルト部９１に挿通する。貫通孔８５にボルト部９１を挿通する際には、接続端子８０の端子本体部８３が上方に移動しようとするが、端子保持部２７の他端２７Ｂに当接することで、端子本体部８３が上方に移動するのが抑制される。また、接続端子８０の端子周り止め片８７は、機器側端子９０の台座部９５周囲に位置して、接続端子８０の位置決め且つ回り止めがなされる。続いて、ナット９３を準備し、このナット９３を機器側端子９０のボルト部９１に螺合する作業を行う。ナット９３は、ナット締め付け治具により締め付けられるが、ナット９３の座面９３Ａは、端子保持部２７に干渉することなく、露出した端子本体部８３と接触する。
【００３２】
なお、機器側端子９０への接続作業が行われている間、蓋部５０が後側にずらされた仮係止位置に係止されている。この際に、係止部６１と突部６７によって側壁３３が挟み込まれているので、蓋部５０が本体部１２の後方に突出していて周囲に接触しやすい状態であっても、蓋部５０が接触して外れることが抑制されている。また、仮係止部４５の後傾斜面４５Ｃは、前後方向の寸法が短く傾斜角がきつくなっているため、突部６７が乗り上げるためには相応の力が必要となるため、仮係止位置から蓋部５０が意図せずに前方に移動するのを抑制することができる。
【００３３】
続いて、図６及び図７に示すように、ナット９３の締め付けが完了した状態で、蓋部５０を前方にスライドさせる。突部６７は、蓋部５０を前方にスライドさせる力によって、仮係止部４５に乗り上げる（図１１参照）。そして、突部６７が仮係止部４５を通過すると、係止部６１と突部６７が側壁３３を挟み込みながら前方にスライド移動する。そして、係止部６１が前側のストッパ部４１に当接するタイミングで、蓋部５０の前端縁部５３Ａが係止することで、蓋部５０が全閉する。このように、図１及び図２に示すように、蓋部５０を全閉する作業を行うと、一連の作業が完了し、接続端子８０と機器側端子９０との接続部分は、端子カバー１０によって絶縁及び保護される。
【００３４】
以上のように本実施形態においては、蓋部５０と本体部１２とが別部品となっていることから、構造が簡単で、成形が容易になる。また、レール部４３は係止部６１の被係止部も兼ねていることから、さらに構造が簡単になる。また、蓋部５０全体がスライドするため、機器側端子９０のボルト部９１及び電線Ｗの高さ寸法以上の高さは不要となり、低背化が可能になる。
また、接続端子８０の端子本体部８３を露出させる位置（仮係止位置）に蓋部５０が位置している際に、突部６７と係止部６１が側壁３３を挟み込みつつ、突部６７が仮係止部４５に係止している。そのため、蓋部５０がスライドして本体部１２からその一部が後方に突出していて周りと接触しやすい状態にあっても、蓋部５０が外れることが抑制される。
【００３５】
＜他の実施形態＞
本明細書で開示される技術は上記記述及び図面によって説明した実施形態に限定されるものではなく、例えば次のような実施形態も技術的範囲に含まれる。
（１）上記実施形態では、台座部９５から突設するボルト部９１にナット９３で接続端子を接続していたが、機器側にナットを埋め込み、ボルトで固定するようにしても良い。
【００３６】
（２）上記実施形態では、レール部４３が側壁３３の外側に突設していたが、側壁の外面にレール溝を設けるようにしても良い。
【００３７】
（３）上記実施形態では、仮係止部４５と突部６７によって仮係止位置に係止していたが、係止爪などの他の方法で係止しても良い。
【００３８】
（４）上記実施形態では、突部６７が係止部６１と側壁３３を挟んで対向する位置に設けられていたが、他の位置に設けていても良い。
【符号の説明】
【００３９】
１０…端子カバー
１２…本体部
２０…端子保護部
３０…電線保護部
３３…側壁
４１…ストッパ部
４３…レール部
４３Ａ…テーパー面
４３Ｂ…下端面
４５…仮係止部
４５Ａ…前傾斜面
４５Ｂ…平行面
４５Ｃ…後傾斜面
５０…蓋部
６１…係止部
６１Ａ…上端部
６１Ｂ…下端部
６３…ロック部
６３Ａ…傾斜面
６３Ｂ…上端面
６７…突部
８０…接続端子（端子）
９０…機器側端子
９１…ボルト部（ボルト）
９３…ナット
Ｗ…電線
【図１】
2016213086.tif 000003
【図２】
2016213086.tif 000004
【図３】
2016213086.tif 000005
【図４】
2016213086.tif 000006
【図５】
2016213086.tif 000007
【図６】
2016213086.tif 000008
【図７】
2016213086.tif 000009
【図８】
2016213086.tif 000010
【図９】
2016213086.tif 000011
【図１０】
2016213086.tif 000012
【図１１】
2016213086.tif 000013
【図１２】
2016213086.tif 000014
【図１３】
2016213086.tif 000015
【図１４】
2016213086.tif 000016
【図１５】
2016213086.tif 000017